(57)【要約】【課題】クラフト紙袋の底部に施されていたミシン縫いを省略することにより紙料、縫い糸の微粉の発生を防止でき、しかも内容物充填時に袋内に残存した気体の排出を自然に行うことができるのみでなく、ミシン縫いの施された袋と同等の強度を保持できるクラフト紙袋を提供すること。【解決手段】袋体の下端に、該下端の長さより若干長い底紙を、縦断面Ｖ字形に折曲して接着剤で接着すると共に、袋体両側下部に底紙の耳部を張り出させ、底紙のＶ字の底と袋体下端との間の空隙と、袋体両側下部と底紙の耳部との間に、前記空隙と連通する空隙を形成し、これ等の空隙を袋内気体のマイクロリーク間隙とさせる。【選択図】図２
2004017992.tif 000002
【特許請求の範囲】
【請求項１】
袋体下端の、切り揃えられ、重ねられた表裏端縁の外面に、
該端縁の長さより僅かに長く外側方へ両側耳部を延設され、かつ縦断面略Ｖ字形に折曲されると共に、該縦断面略Ｖ字形の折曲部全内面に接着剤を塗布された底紙が当接され、その全長にわたって接着されて袋底部が形成されている
クラフト紙袋。
【請求項２】
接着された袋底部の、少なくとも表裏何れかの面から、全長にわたり、底紙の長さ方向と平行する少なくとも１本の圧刻凹部が形成されている請求項１記載のクラフト紙袋。
【請求項３】
袋体下端の表裏端縁と底紙の縦断面略Ｖ字形の折曲底部との間、及び袋体両側部と、該両側部を超えて外側方へ延設され、折曲部内面で互に接着されている底紙の耳部との間に、内容物充填時に、袋体内に残存した気体のマイクロリーク用の空隙が互に連通して形成されている請求項１または請求項２記載のクラフト紙袋。
【発明の詳細な説明】
【０００１】
【発明の属する技術分野】
本発明は、農産物或はその加工品、建築材料、化学材料、肥料等の収納、保管、運搬等に使用されているクラフト紙袋の改良に関するものである。
【０００２】
【従来の技術】
現在、大重量の内容物を収納するクラフト紙袋には、図４に示すごとく、袋体Ａの下端縁に二つ折した底紙Ｂを当接し、綿糸、合成繊維糸等を縫い糸として、ミシン縫いＣにより袋体Ａの底部の閉塞を行っているが、このミシン縫いＣの縫合速度は著しく高速であり、このため紙料及び縫い糸とミシン針との高速接触により、紙料及び縫い糸から著しく微粉が発生し、この微粉が縫合時にクラフト紙袋内へも飛散、侵入し、充填される内容物への異物混入原因と一つとなっているのみでなく、該微粉の袋体表面への静電付着による内容物への混入の問題も発生している。
【０００３】
更に前記縫い糸を介しての液分の袋内への浸潤の問題があり、これを防止するためオーバーペーパーの貼着も行われているが、満足すべきものでは無く、更にはコスト増を伴う問題を有している。
【０００４】
【発明が解決しようとする課題】
前記従来技術の問題点に鑑み、本発明は、ミシン縫い工程の省略により、微粉の発生を皆無とし、しかも液分の浸潤も皆無であると共に、底部に十分な強度を保有させうることができるのみでなく、袋内への内容物充填時に、袋内に残存した気体もマイクロリークにより徐々に経時的に排除でき、しかもコスト的には比較的廉価に留めうるクラフト紙袋を提供することを課題としている。
【０００５】
【課題を解決するための手段】
前記課題を解決するため、請求項１の発明では、クラフト紙袋を、袋体下端の、切り揃えられ、重ねられた表裏端縁の外面に該端縁の長さより僅かに長く外側方へ両側耳部を延設され、かつ縦断面略Ｖ字形に折曲されると共に、該縦断面略Ｖ字形の折曲部全内面に接着剤を塗布された底紙が当接され、その全長にわたって接着されて袋底部が形成されているという構成とした。
【０００６】
請求項２の発明では、請求項１の発明に、接着された袋底部の、少なくとも表裏何れかの面から、全長にわたり、底紙の長さ方向と平行する少なくとも１本の圧刻凹部が形成されているという構成を付加した。
【０００７】
請求項３の発明では、請求項１または請求項２の発明に、袋体下端の表裏端縁と、底紙の縦断面略Ｖ字形の折曲底部との間、及び袋体両側部と、該側部を超えて外側方へ延設され、折曲部内面で互に接着されている底紙の耳部との間に、内容物充填時に、袋体内に残存した気体のマイクロリーク用の空隙が互に連通して形成されているという構成を付加した。
【０００８】
【発明の実施の形態】
図１ないし図３は、請求項１、請求項２及び請求項３の各発明を併せ適用したクラフト紙袋の実施の一例を示しており、袋体１は、図１中Ａ−Ａ断面拡大図である図２に示されるごとく、外装クラフト紙２と内装クラフト紙３との二重構造とされ、外装クラフト紙２と内装クラフト紙３との間に、感熱接着能を有する合成樹脂フィルム、例えばポリエチレンフィルム４等が疑似接着等の手段で介装され、防水、防湿性の向上が図られているが、この構造に限定されるものではなく、外装クラフト紙の内面に、予めポリエチレンフィルム等の防湿性フィルムを接着しておくことにより、内装クラフト紙を省略した構造等のクラフト紙袋であってもよい。
【０００９】
前記袋体１は、袋体上端５が開口され、袋体下端６は切り揃えられ、重ねられ、その外面には底紙７が接着剤１０により接着されている。
【００１０】
図２及び図３は、構造を明瞭とするため、紙の厚さを著しく拡大して模型的に図示してあるため、図２において現物の厚さＷ１が０．６ｍｍのものを２６．５ｍｍに、図３において厚さＷ２が１．８ｍｍのものを５０．０２ｍｍに拡大して表示してあるため、Ｖ字形折曲部は略Ｕ字形に、また略Ｙ字形折曲げ部は凵（カン）の字の下にｌ（コン）の字を連続した形に表示されている点は理解されるべきである。
【００１１】
前記底紙７は、図１において袋体下端６の下端縁の長さＬ１より僅かに長い長さＬ２に設定され、袋体下端６の両側に耳部８、９を延設され、かつ図２に示すごとく、全長にわたり縦断面略Ｖ字状に折曲されると共に、該折曲部全内面に接着剤１０が塗布され、袋体下端６を表裏両面から挟んで圧接着されて袋底部１１が形成されている。
【００１２】
前記袋底部１１は、袋体下端６に、全長にわたってＶ字状に折曲された底紙７が接着されて形成されているが、切り揃えによって単一の平坦面を形成している袋体下端６に対し、底紙７は縦断面略Ｖ字状に折曲されて接着されているので、その折曲底部１２と前記袋体下端６との間には著しく僅小な高さのマイクロリーク用の空隙１３が必然的に形成される。このため前記接着剤１０の塗布厚さは、前記底紙７の接着時の押圧力の作用によっても前記空隙１３が残存しうる厚さに選定されている。
【００１３】
前記底紙７の形成する耳部８、９においても袋体１の両側部１４、１５は、ヒダ１６、１７の折り込みにより、袋体１の胴主体部の厚さの２倍の厚さとなっているので、耳部８、９が袋体１の両側部１４、１５と対向する部位には、前記袋体下端６と底紙７の折曲底部１２との間の空隙１３よりやや大型の空隙１８が底紙７の上端縁１９、２０に向って開口することとなり、しかもこの空隙１８は、前記接着剤１０の塗布厚さの選定により、前記空隙１３に連通することとなる。
【００１４】
前記底紙７が略Ｖ字状の折曲により、袋体下端６を表裏両面から挟んで圧接着されることにより形成された袋底部１１の、少なくとも表裏何れか一方の面には、その全長にわたり、底紙７の長さ方向と平行する少なくとも１本の圧刻凹部２１が形成されている。
【００１５】
図示実施例では、袋底部１１の表裏両面２２、２３にそれぞれ２本の圧刻凹部２１、２４、２５、２６が形成されているのが、何れか一方の面から定盤に向って圧刻するのみでも圧刻凹部の形成による確実な強固な接着の実現は可能であり、
該圧刻凹部は、袋底部１１の表裏両面全体にわたるいわゆる「ベタ掛け」と称される１個の圧刻形状であってもよく、またその凹刻の形状は縦断面半円形でもよく、また底紙７の長さ方向に不連続の点又はミシン目形状の押圧痕であってもよい。
【００１６】
なお、前記空隙１３及び空隙１８は、既述のごとく接着剤１０の塗布厚さの選定により連通するのみでなく、その単位断面における容積も、塗布厚さを徐々に変化させる実験により、接着剤の種別毎に実験的に決定できるので、クラフト紙袋への内容物の充填時に、袋内に残存した気体を、内容物の充填されたクラフト紙袋の積み重ね等による押圧力の作用で、マイクロリーク的に排出し、逆に積み重ねが解かれた際には、袋体に作用する大気圧による袋体の僅かな圧縮変形に起因する収縮により、袋体外域の空気等が侵入しないように閉塞される寸法に選定することも可能である。なお、本発明において、袋体１を構成しているクラフト紙の材質、重ね合わせの有無、重ね合わせ枚数、或は防湿性フィルムや接着剤の材質、配設構造、接着構造等に格別の限定が無いことは勿論である。
【００１７】
【発明の効果】
請求項１の発明によると、綿糸、合成繊維糸等による底紙のミシン縫いを省略できるので高速のミシン縫いによって発生していた袋体や縫い糸の微粉化を完全に排除でき、従ってミシン縫い工程、微粉除去工程の省略による低コスト化を図りうる効果と、前記微粉の内容物への混入を皆無としうる効果とを奏すると共に、従来存在した縫い糸の毛細管現象による袋内の湿潤も防止でき、また生産効率をも著しく向上させうる等の効果を奏する。
【００１８】
請求項２の発明によると、圧刻凹部の形成により、袋底部と底紙との接着剤による接着強度を、設定強度を維持されるまで向上させうるので、接着不良による破袋発生の恐れを皆無としうる効果を奏する。
【００１９】
請求項３の発明によると、クラフト紙袋内に、内容物充填完了の時点で残存した気体が存しても、該袋体の積み重ね等の押圧力の作用により、経時的に空隙からのマイクロリークにより完全に排出させることができ、排出後は、大気圧による袋体の僅かな圧縮変形により、袋体周辺の気体の袋体内への侵入を防止する等の効果を奏する。
【図面の簡単な説明】
【図１】本発明に係るクラフト紙袋の実施の一例の正面図である。
【図２】図１中Ａ−Ａ線断面の模型的拡大断面図である。
【図３】図１中Ｂ−Ｂ線断面の模型的拡大断面図である。
【図４】従来のクラフト紙袋の一例の正面図である。
【符号の説明】
１　袋体
６　袋体下端
７　底紙
８、９　耳部
１０　接着剤
１１　袋底部
１２　折曲底部
１３、１８　マイクロリーク用の空隙
１４、１５　側部
２１、２４〜２６　圧刻凹部
【図１】
2004017992.tif 000003
【図２】
2004017992.tif 000004
【図３】
2004017992.tif 000005
【図４】
2004017992.tif 000006